(57)【要約】      （修正有）【課題】ノートや手帳の筆記面の周辺領域に広告エリアを設け、その広告エリアの利用に対して対価を得るビジネスモデルに関するものである。【解決手段】位置情報パターンが表面に設けられた筆記用の複数の筆記用紙と、この筆記用紙の周辺に、筆記用紙毎に設けられた広告エリアと、前記筆記用紙の表面に筆記動作することで、前記位置情報パターンを読み取り、筆記情報を記録する電子ペンとで構成される電子ペンシステムを用い、前記広告エリアの面積、或いは広告を印刷した筆記用紙数に応じて広告収入を得ることを特徴とする電子ペンシステムである。【選択図】図１
2012168489.tif 000002
【特許請求の範囲】
【請求項１】
位置情報パターンが表面に設けられた筆記用紙と、前記筆記用紙の表面に筆記動作することで、前記位置情報パターンを読み取り、筆記情報を記録すると共に、外部機器に筆記情報を出力可能な電子ペンとで構成される電子ペンシステムであって、前記筆記用紙の周辺に広告エリアを設けたことを特徴とする電子ペンシステム。
【請求項２】
前記広告エリアへの筆記動作に応じて、携帯電話にメール配信が行われることを特徴とする請求項１記載の電子ペンシステム。
【請求項３】
位置情報パターンが表面に設けられた筆記用の複数の筆記用紙と、この筆記用紙の周辺に、筆記用紙毎に設けられた広告エリアと、前記筆記用紙の表面に筆記動作することで、前記位置情報パターンを読み取り、筆記情報を記録する電子ペンとで構成される電子ペンシステムを用い、前記広告エリアの面積、或いは広告を印刷した筆記用紙数に応じて広告収入を得ることを特徴とする電子ペンシステムを用いた広告システム。
【発明の詳細な説明】
【技術分野】
【０００１】本発明は、電子ペンによる筆記情報を記録する装置であって、電子ペンによる筆記動作によって、筆記情報を記録し、また外部機器に出力することが可能であり、特に会社における会議の議事録や、学校等における講義のメモを、電子的に記録し保持する電子ペンシステムに関するものである。
【背景技術】
【０００２】従来、電子ペンを用いて、筆記情報をデジタル化して記録保持するシステムが知られている。
これは、筆記用紙の紙面上の絶対位置を表すドットパターンが印刷形成された筆記用紙の筆記面に電子ペンを走らせることにより、その電子ペンの移動軌跡を演算し、その演算結果を筆記データとして記録するものである。【０００３】この電子ペンシステムは、個人のメモ用として、或いは従来の手帳の代わりとして用いられる他、医療用カルテの記録保存用や、工場の在庫品管理用としても用いられている。
【先行技術文献】
【特許文献】
【０００４】
【特許文献１】特開２００４−０３０２５７号
【特許文献２】特開２００８−２０４３６３号
【発明の概要】
【発明が解決しようとする課題】
【０００５】上記特許文献１では、ドットパターンが印刷された用紙と電子入力ペンによって、看護情報を入力、記録管理するシステムが示されている。
また、上記特許文献２には、ドットパターンが印刷された帳票と電子入力ペンと携帯電話とサーバからなる広告システムが示されている。
このシステムでは、店側で帳票に電子ペンで広告を記入すると、携帯電話を介してサーバに送信され、このサーバから、利用者の携帯電話に、広告が発信されるというものである。【０００６】これらの従来技術では、ドットパターン用紙は、専ら病院や店といった組織によって用いられるものであり、個人利用の例えばノートや手帳といったものにドットパターン用紙を用いるシステムではない。【０００７】本発明は、個人的に利用するノートや手帳を用いたシステムに関するものであり、このノートや手帳の筆記面の周辺領域に広告エリアを設け、その広告エリアの利用に対して対価を得る広告システム（ビジネスモデル）に関するものである。
これにより、電子ペンシステムを安価に個人に提供可能となり、また、広告主においては、個人に直接広告情報を提供することが可能となる。
【課題を解決するための手段】
【０００８】上記課題を解決するため、本発明は、請求項１に記載するように、位置情報パターンが表面に設けられた筆記用紙と、前記筆記用紙の表面に筆記動作することで、前記位置情報パターンを読み取り、筆記情報を記録すると共に、外部機器に筆記情報を出力可能な電子ペンとで構成される電子ペンシステムであって、前記筆記用紙の周辺に広告エリアを設けたことを特徴としている。【０００９】また、請求項３に記載するように、位置情報パターンが表面に設けられた筆記用の複数の筆記用紙と、この筆記用紙の周辺に、筆記用紙毎に設けられた広告エリアと、前記筆記用紙の表面に筆記動作することで、前記位置情報パターンを読み取り、筆記情報を記録する電子ペンとで構成される電子ペンシステムを用い、前記広告エリアの面積、或いは広告を印刷した筆記用紙数に応じて広告収入を得ることを特徴としている。
【発明の効果】
【００１０】本発明によれば、電子ペンシステムを安価に個人に提供可能となり、また、広告主においては、個人に直接広告情報を提供することが可能となる．また、本システムの利用者においては、興味のある商品情報を、簡易に得られるものである。
【図面の簡単な説明】
【００１１】
【図１】図１は、本発明の実施例の形態に係る主要な構成を示す構成図である。
【図２】図２は、本発明の実施例の電子ペン及び筆記用紙に係る構成図である。
【図３】図３は、本発明の実施例の筆記用紙に係る構成図である。
【図４】図４は、本発明の第２の実施例の形態に係る構成図である。
【発明を実施するための形態】
【００１２】以下、本発明を実施するための最良の形態について、図面を参照して詳細に説明する。
【実施例】
【００１３】以下、図に沿って本発明の一実施例を説明する。
図１は電子ペン１を携帯電話２に無線接続した実施例を示す構成図である。
３は表面の全面に絶対位置を算出可能な位置情報パターン（ドットパターン）が印刷され、この表面において電子ペン１によって筆記動作を行う筆記用紙、４はこの部分に電子ペン１で筆記動作を行うことにより、所望の機能を発揮できる状態にするためのコマンドエリア、５は広告エリアである。【００１４】筆記用紙３の表面には、例えば特許第３８８１３６５号に示されるような位置情報パターンが、赤外線吸収型インクで形成されている。
また、罫線や、前述のコマンドエリア４を表す文字、広告エリア５に印刷される広告などは、赤外線を反射するインクで印刷されている。【００１５】このため、電子ペン１は、確実に筆記用紙３の表面の位置情報パターンを検出できる。
尚、電子ペン１には、筆記用のインクが内臓されているが、このインクも、赤外線を吸収するインクを用いており、筆記した後においても、電子ペン１によって、その位置を表す位置情報パターンを検出可能となっている。【００１６】電子ペン１によって、筆記用紙３の広告エリア５内でクリックなどの筆記動作を行い、この広告エリア５の位置情報パターンが検出されると、その位置に応じて、広告用の説明文とインターネット上の関連サイトの情報が、電子ペン１から携帯電話２にメール送信される。【００１７】図２に電子ペン１の構成を表す概念図を示す。
電子ペン１は、通常のボールペンのインクが充填された芯部材１０と、赤外線撮像装置１１、赤外線発光ＬＥＤ１２及び、前記赤外線撮像装置１１で検出された位置情報パターン３１から筆記軌跡を算出する演算装置１３、メモリ１４、無線通信装置１５、バッテリ１６、及び位置情報の読み取り動作のオン、オフを行うスイッチ１７を内蔵している。
尚、キャップ１９を電子ペン１にかぶせている場合にオフ状態となり、キャップ１９を外すことでオン状態となる。
芯部材１０は、電子ペン１の本体に、着脱可能に配置される。
したがって、黒色、赤色、緑色、或いは青色の芯部材（リフィル）等、実際にインクによって筆記したい色の芯部材を、電子ペン１に装着して利用できる。
また、芯部材１０の挿入される部分の端部には、圧力センサ１８が設けられている。【００１８】筆記の際、筆記用紙３から得る筆記圧を圧力センサ１８で検出すると、赤外線発光ＬＥＤ１２と赤外線撮像装置１１が６０ヘルツ程度の周期で動作され、コンピュータで用いられるマウスのクリックやクリックドラックなどに対応した動作により、順次位置データが検出され、その検出された筆記軌跡データがメモリ１４に記録される。【００１９】この電子ペン１の芯部材１０によって、筆記用紙３の表面に文字などが筆記されると、赤外線撮像装置１１によって、筆記用紙３の表面に形成された位置情報パターン３１が連続的に読み取られる。
この場合、筆記軌跡によって、文字認識を行うことも可能であり、また位置情報に応じた種々の制御が可能となる。
例えば、所定の筆記軌跡が読み取られたら、プリンタを動作させるとか、翻訳ソフトウエアを駆動して、筆記データを翻訳するなどの動作を行わせることができる。【００２０】これらの、文字認識ソフトや、翻訳ソフト或いは計算処理ソフト、画像処理ソフトといったアプリケーションソフトウエアが、電子ペン１内の図示しないフラッシュメモリ内に記録されている。
尚、本電子ペン１は、演算装置１３、メモリ１４、入力部としての赤外線撮像装置１１を有しており、小型のコンピュータとしての機能を全て有しているため、アプリケーションソフトウエアは随時インストール可能である。
したがって、電子ペン１に前記アプリケーションソフトウエアがインストールされている限り、前記動作の実行が可能である。【００２１】図３に、筆記用紙３の広告エリア５付近の概要を表す概念図を示す。
筆記面には、図示しない位置情報パターン３１が、筆記用紙全面に印刷されている。そして、この位置情報パターン３１の印刷された表面には、筆記エリアを表す枠線３２及び、筆記を容易にするための罫線３３が設けられている。
この筆記用紙３の下部に、大きさの異なる種々の広告エリア５が設けられている。
そして、その広告エリア５には、広告主の名称や、商品名などが印刷されている。【００２２】広告エリア５を電子ペン１でクリックすると、電子ペン１では、その広告エリア５内の位置の情報を、位置情報パターン３１により読み取って、この位置に対応した広告情報を携帯電話２に無線送信する。
携帯電話２は、この電子ペン１からの信号を広告主からのメールとして受信する。【００２３】筆記用紙３は、複数が束ねられて、上部が１枚１枚剥がすことが可能な状態に糊付けされている。
そして、各用紙の広告エリア５には、異なる広告が印刷されるような構成を取っており、広告の印刷枚数と、広告エリアの大きさに対応して、広告主は、本電子ペンシステムのサービス提供者に広告料を支払うこととなる。【００２４】利用者においては、広告エリア５をクリックするだけで、その広告に関連した商品の情報を、携帯電話２で受け取ることが可能であり、また、携帯電話２での商品の購入が可能となる。【００２５】図４に、第２の実施例を示す。
このシステムにおいては、電子ペン１は、パーソナルコンピュータ６と無線通信可能としている。
実施例１と基本的な構成は同じであるが、パーソナルコンピュータ６と無線通信する場合は、広告用の電子メールを送受信するだけでなく、自動的にウェブブラウザを立ち上げて、広告主のインターネットサイトを表示する。【００２６】本発明は、上述の実施例に限定されるものではなく、例えば、専用のサーバを用意し、利用者が広告エリア５に筆記動作を行った場合、このサーバから、利用者の携帯電話、あるいはパーソナルコンピュータ６に広告関連の情報を送信するようにしてもよい。【００２７】また、筆記用紙は、横にバインダー用の孔を設け、システム手帳のリフィルとしてもよい。また、通常のノートとして綴じてもよい。
更に、縦の罫線を付加してもよく、或いは罫線や枠線は設けなくてもよい。
広告エリア５の位置も、上記一実施例に限定されるものではなく、用紙上部、或いは左右の側面部に設けてもよい。
また、広告エリアの大きさは、一定の大きさに統一してもよい。【００２８】また、広告料の設定も、上記一実施例に限定されない。
例えば、広告エリアのクリックなどの筆記動作の回数に応じた広告料を設定してもよい。
【産業上の利用可能性】
【００２９】本発明は、筆記用紙に広告エリアを設け、広告料を得ることにより、より安価に電子筆記システムを提供することが可能となる。
また、広告主としては、個人個人に直接広告をすることが可能となり、新たな販売機会を得ることができる。
更に、利用者としても、簡易に商品情報を得ることや購入することが可能となり、利便性が向上する。
【符号の説明】
【００３０】１：電子ペン
３：筆記用紙
５：広告エリア
【図１】
2012168489.tif 000003
【図２】
2012168489.tif 000004
【図３】
2012168489.tif 000005
【図４】
2012168489.tif 000006